(57)【要約】【課題】友達申請の相手の顔を認識しつつ、かつ簡易な作業にて友達申請を行うことができるソーシャルネットワークサービス支援システムなどを提供する。【解決手段】登録者の顔を撮影して取得された顔画像情報と、登録者のプロフィール情報と、登録者が有するソーシャルネットワークサービスのアカウントへの接続情報とを対応付けて登録者情報として記憶するサーバ装置１０と、検索対象者の顔を撮影して顔画像情報を取得する顔画像情報取得部２１、検索対象者の顔画像情報に基づいて、サーバ装置１０に予め記憶された登録者情報の顔画像情報を参照することによって、検索対象者の登録者情報を特定する登録者情報特定部２２およびその特定された登録者情報に含まれる上記接続情報に基づいて、検索対象者のソーシャルネットワークサービスのアカウントに接続する通信部２４を有するユーザ端末装置２０とを備える。【選択図】図１
2020201808.tif 000002
【特許請求の範囲】
【請求項１】
登録者を特定するための登録識別情報と、前記登録者のプロフィール情報と、前記登録者が有するソーシャルネットワークサービスのアカウントへの接続情報とを対応付けて登録者情報として記憶する記憶部と、
検索対象者の識別情報を撮影して撮影識別情報を取得する撮影識別情報取得部と、
前記検索対象者の撮影識別情報に基づいて、前記記憶装置に予め記憶された前記登録者情報の登録別情報を参照し、前記検索対象者の撮影識別情報と一致する登録識別情報を含む登録者情報を特定することによって、前記検索対象者の前記登録者情報を特定する登録者情報特定部と、
該登録者情報特定部によって特定された登録者情報に含まれる前記接続情報に基づいて、前記検索対象者のソーシャルネットワークサービスのアカウントに接続する通信部を備えたソーシャルネットワークサービス支援システム。
【請求項２】
前記登録識別情報が、前記登録者の顔を撮影した顔画像情報であり、
前記撮影識別情報が、前記検察対象者の顔を撮影した顔画像情報である請求項１記載のソーシャルネットワークサービス支援システム。
【請求項３】
前記記憶部が、前記登録者情報として、前記登録者が有する複数のソーシャルネットワークサービスへの接続情報を記憶し、
前記複数のソーシャルネットワークサービスのアカウントへの接続情報のいずれかを選択可能に表示する表示部を有する端末装置を備えた請求項１または２記載のソーシャルネットワークサービス支援システム。
【請求項４】
前記表示部が、前記登録者情報特定部によって特定された登録者情報に含まれる前記登録識別情報および前記プロフィール情報のうちの少なくとも一方を表示する請求項３記載のソーシャルネットワークサービス支援システム。
【請求項５】
前記表示部が、前記登録者情報特定部によって特定された登録者情報に含まれる前記プロフィール情報に、前記登録者の生年月日の情報が含まれる場合には、該生年月日に関連する情報を表示する請求項３または４記載のソーシャルネットワークサービス支援システム。
【請求項６】
前記登録者の識別情報を撮影して登録識別情報を取得し、かつ前記登録者のプロフィール情報および前記登録者が有するソーシャルネットワークサービスのアカウントへの接続情報の入力を受け付け、前記登録識別情報、前記プロフィール情報および前記接続情報を前記記憶部に出力する登録者端末装置をさらに備える請求項１から５いずれか１項記載のソーシャルネットワークサービス支援システム。
【請求項７】
前記登録者端末装置が、前記登録者が有するソーシャルネットワークサービスに接続し、該ソーシャルネットワークサービスに登録された情報を前記プロフィール情報として受け付ける請求項６記載のソーシャルネットワークサービス支援システム。
【請求項８】
検索対象者の識別情報を撮影して撮影識別情報を取得する撮影識別情報取得部と、
前記検索対象者の撮影識別情報に基づいて、記憶装置に予め記憶された登録者情報を参照し、前記検索対象者の撮影識別情報と一致する登録識別情報を含む登録者情報を特定する登録者情報特定部と、
該登録者情報特定部によって特定された登録者情報に含まれる、前記検索対象者のソーシャルネットワークサービスのアカウントへの接続情報に基づいて、前記検索対象者のソーシャルネットワークサービスのアカウントに接続する通信部とを備えた端末装置。
【請求項９】
検索対象者の識別情報を撮影して撮影識別情報を取得するステップと、
前記検索対象者の撮影識別情報に基づいて、記憶装置に予め記憶された登録者情報を参照し、前記検索対象者の撮影識別情報と一致する登録識別情報を含む登録者情報を特定するステップと、
該特定した登録者情報に含まれる、前記検索対象者のソーシャルネットワークサービスのアカウントへの接続情報に基づいて、前記検索対象者のソーシャルネットワークサービスのアカウントに接続するステップとを端末装置に実行させるソーシャルネットワークサービス支援プログラム。
【請求項１０】
登録者を特定するための登録識別情報と、前記登録者のプロフィール情報と、前記登録者が有するソーシャルネットワークサービスのアカウントへの接続情報とを対応付けて登録者情報として予め記憶し、
検索対象者の識別情報を撮影して撮影識別情報を取得し、前記検索対象者の撮影識別情報に基づいて、前記予め記憶された登録者情報の登録識別情報を参照し、前記検索対象者の撮影識別情報と一致する登録識別情報を含む登録者情報を特定することによって、前記検索対象者の前記登録者情報を特定し、
該特定した登録者情報に含まれる前記接続情報に基づいて、前記検索対象者のソーシャルネットワークサービスのアカウントに接続するソーシャルネットワークサービス支援方法。
【発明の詳細な説明】
【技術分野】
【０００１】
本発明は、任意の人物のソーシャルネットワークサービスのアカウントへの接続を支援するソーシャルネットワークサービス支援システム、方法およびプログラム並びに端末装置に関するものである。
【背景技術】
【０００２】
近年、インターネット回線を用いたソーシャルネットワークサービスの利用が盛んに行われている。
【０００３】
ソーシャルネットワークサービスにおいて、所定のユーザ（以下、第１のユーザという）が、その他のユーザ（以下、第２のユーザという）との繋がりを希望する場合には、たとえば第１のユーザが、第２のユーザのソーシャルネットワークサービスのアカウントに対して友達申請を送信する。そして、第２のユーザがその友達申請を受け入れた場合に、友達申請を送信した第１のユーザと受信した第２のユーザとの間で特別な繋がり関係（友達追加）が設定される。
【０００４】
このような友達申請を行う場合には、たとえば第１のユーザがスマートフォンやタブレット端末などの携帯端末を用いて、ソーシャルネットワークサービスにログインし、第２のユーザの検索情報（ＩＤや電話番号など）を設定入力して第２のユーザのアカウントを検索する必要がある。すなわち、第１のユーザは、ソーシャルネットワークサービスにログインするステップと、第２のユーザの検索情報を設定入力するステップと、第２のユーザを検索するステップとを行う必要がある。
【０００５】
しかしながら、このようなステップを踏むのは、非常に煩わしい作業であり、特に、第２のユーザの検索情報を設定入力するステップは、第１のユーザが第２のユーザに識別情報を聞き、その聞いた検索情報を手動で設定入力する必要があり、時間もかかる。
【０００６】
また、第２のユーザに携帯端末において検索情報として２次元バーコードを表示させ、これを第１のユーザの携帯端末によって読み取ることによって第２のユーザの検索情報を得る方法もあるが、第２のユーザに２次元バーコードを表示させる必要があるとともに、第１のユーザがその２次元バーコードを読み取る作業が必要であり、作業数が多く、時間もかかる。
【０００７】
このような友達申請のための作業を簡略化する方法として、特許文献１においては、たとえば第１のユーザの携帯端末において、第１のユーザの位置から予め設定された距離の範囲内に存在する他のユーザの携帯端末の情報を表示し、第１のユーザが、表示された他のユーザの携帯端末の情報の中から友達追加したい携帯端末の情報を選択することによって、第１のユーザと他のユーザとの繋がり関係（友達追加）を設定する方法が提案されている。
【先行技術文献】
【特許文献】
【０００８】
【特許文献１】特開２０１４−４１６５８号公報
【発明の概要】
【発明が解決しようとする課題】
【０００９】
しかしながら、特許文献１の方法では、携帯端末に表示された他のユーザの携帯端末の情報を選択することによって友達追加を行うので、その他のユーザがどのような人物なのか把握することができないまま友達追加が行われる場合がある。
【００１０】
本発明は、上記の問題に鑑み、友達申請の相手を認識しつつ、かつ簡易な作業にて友達申請を行うことができるソーシャルネットワークサービス支援システム、方法およびプログラム並びに端末装置を提供することを目的とする。
【課題を解決するための手段】
【００１１】
本発明のソーシャルネットワークサービス支援システムは、登録者を特定するための登録識別情報と、登録者のプロフィール情報と、登録者が有するソーシャルネットワークサービスのアカウントへの接続情報とを対応付けて登録者情報として記憶する記憶部と、検索対象者の識別情報を撮影して撮影識別情報を取得する撮影識別情報取得部と、検索対象者の撮影識別情報に基づいて、記憶装置に予め記憶された登録者情報の登録別情報を参照し、検索対象者の撮影識別情報と一致する登録識別情報を含む登録者情報を特定することによって、検索対象者の登録者情報を特定する登録者情報特定部と、登録者情報特定部によって特定された登録者情報に含まれる接続情報に基づいて、検索対象者のソーシャルネットワークサービスのアカウントに接続する通信部を備える。
【００１２】
また、本発明のソーシャルネットワークサービス支援システムにおいて、登録識別情報は、登録者の顔を撮影した顔画像情報とすることができ、撮影識別情報は、検察対象者の顔を撮影した顔画像情報とすることができる。
【００１３】
また、本発明のソーシャルネットワークサービス支援システムにおいて、記憶部は、登録者情報として、登録者が有する複数のソーシャルネットワークサービスへの接続情報を記憶することができ、その複数のソーシャルネットワークサービスのアカウントへの接続情報のいずれかを選択可能に表示する表示部を有する端末装置を備えることができる。
【００１４】
また、本発明のソーシャルネットワークサービス支援システムにおいて、表示部は、登録者情報特定部によって特定された登録者情報に含まれる登録識別情報およびプロフィール情報のうちの少なくとも一方を表示することができる。
【００１５】
また、本発明のソーシャルネットワークサービス支援システムにおいて、表示部は、登録者情報特定部によって特定された登録者情報に含まれるプロフィール情報に、登録者の生年月日の情報が含まれる場合には、その生年月日に関連する情報を表示することができる。
【００１６】
また、本発明のソーシャルネットワークサービス支援システムにおいては、登録者の識別情報を撮影して登録識別情報を取得し、かつ登録者のプロフィール情報および登録者が有するソーシャルネットワークサービスのアカウントへの接続情報の入力を受け付け、登録識別情報、プロフィール情報および接続情報を記憶部に出力する登録者端末装置をさらに備えることができる。
【００１７】
また、本発明のソーシャルネットワークサービス支援システムにおいて、登録者端末装置は、登録者が有するソーシャルネットワークサービスに接続し、そのソーシャルネットワークサービスに登録された情報をプロフィール情報として受け付けることができる。
【００１８】
本発明の端末装置は、検索対象者の識別情報を撮影して撮影識別情報を取得する撮影識別情報取得部と、検索対象者の撮影識別情報に基づいて、記憶装置に予め記憶された登録者情報を参照し、検索対象者の撮影識別情報と一致する登録識別情報を含む登録者情報を特定する登録者情報特定部と、登録者情報特定部によって特定された登録者情報に含まれる、検索対象者のソーシャルネットワークサービスのアカウントへの接続情報に基づいて、検索対象者のソーシャルネットワークサービスのアカウントに接続する通信部とを備える。
【００１９】
本発明のソーシャルネットワークサービス支援プログラムは、検索対象者の識別情報を撮影して撮影識別情報を取得するステップと、検索対象者の撮影識別情報に基づいて、記憶装置に予め記憶された登録者情報を参照し、検索対象者の撮影識別情報と一致する登録識別情報を含む登録者情報を特定するステップと、その特定した登録者情報に含まれる、検索対象者のソーシャルネットワークサービスのアカウントへの接続情報に基づいて、検索対象者のソーシャルネットワークサービスのアカウントに接続するステップとを端末装置に実行させる。
【００２０】
本発明のソーシャルネットワークサービス支援方法は、登録者を特定するための登録識別情報と、登録者のプロフィール情報と、登録者が有するソーシャルネットワークサービスのアカウントへの接続情報とを対応付けて登録者情報として予め記憶し、検索対象者の識別情報を撮影して撮影識別情報を取得し、検索対象者の撮影識別情報に基づいて、予め記憶された登録者情報の登録識別情報を参照し、検索対象者の撮影識別情報と一致する登録識別情報を含む登録者情報を特定することによって、検索対象者の登録者情報を特定し、その特定した登録者情報に含まれる接続情報に基づいて、検索対象者のソーシャルネットワークサービスのアカウントに接続する。
【発明の効果】
【００２１】
本発明のソーシャルネットワークサービス支援システム、方法およびプログラム並びに端末装置によれば、登録者を特定するための登録識別情報と、登録者のプロフィール情報と、登録者が有するソーシャルネットワークサービスのアカウントへの接続情報とを対応付けて登録者情報として予め記憶しておく。そして、検索対象者の識別情報を撮影して撮影識別情報を取得し、その検索対象者の撮影識別情報に基づいて、予め記憶された登録者情報の登録識別情報を参照し、検索対象者の撮影識別情報と一致する登録識別情報を含む登録者情報を特定することによって、検索対象者の登録者情報を特定する。そして、その特定した登録者情報に含まれる上記接続情報に基づいて、検索対象者のソーシャルネットワークサービスのアカウントに接続する。これにより、検索対象者を認識しつつ、かつ簡易な作業にて友達申請を行うことができる。
【図面の簡単な説明】
【００２２】
【図１】本発明のソーシャルネットワークサービス支援システムの一実施形態の概略構成を示すブロック図
【図２】登録者端末装置を用いて登録者情報をサーバ装置に登録する方法を説明するためのフローチャート
【図３】ユーザ端末装置を用いて任意の人物（検索対象者）のソーシャルネットワークサービスのアカウントへ友達申請する方法を説明するためのフローチャート
【図４】ユーザ端末装置の表示画面の一例を示す図
【発明を実施するための形態】
【００２３】
以下、本発明のソーシャルネットワークサービス支援システムの一実施形態について、図面を参照しながら詳細に説明する。
【００２４】
本実施形態のソーシャルネットワークサービス支援システム（以下、ＳＮＳ支援システムという）は、任意の人物の顔を端末装置によって撮影することにより顔画像情報を取得し、端末装置が、その顔画像情報に基づいて、その人物のプロフィール情報や、その人物が有するソーシャルネットワークサービス（以下、ＳＮＳという）のアカウントへの接続情報を取得する。そして、端末装置が、そのプロフィール情報を表示し、上記ＳＮＳのアカウントに接続する。端末装置のユーザは、任意の人物の顔を撮影するだけで、その撮影した人物のＳＮＳのアカウントに接続することができ、たとえば友達申請などを即座に送信することができる。
【００２５】
以下、本実施形態のＳＮＳ支援システム１の具体的な構成について説明する。図１は、本実施形態のＳＮＳ支援システム１の概略構成を示すブロック図である。
【００２６】
本実施形態のＳＮＳ支援システム１は、図１に示すように、サーバ装置１０と、ユーザ端末装置２０と、登録者端末装置３０とを備えている。本実施形態においては、ユーザ端末装置２０が、本発明の端末装置に相当し、サーバ装置１０が、本発明の記憶装置に相当する。また、ユーザ端末装置２０と登録者端末装置３０とは、後述するように、ともにＳＮＳ支援プログラムがインストールされたものであり、これらの端末装置を１つの端末装置で構成するようにしてもよい。
【００２７】
サーバ装置１０とユーザ端末装置２０との間、サーバ装置１０と登録者端末装置３０との間は、通信回線を介して接続されている。通信回線としては、インターネット回線でもよいし、ＬＡＮ（Local Area Network）または電話回線でもよい。また、通信回線は、有線でもよいし、無線でもよい。また、ユーザ端末装置２０と登録者端末装置３０は、通信回線を介して、任意のＳＮＳに接続可能に構成されている。
【００２８】
サーバ装置１０は、コンピュータから構成され、ＣＰＵ（Central Processing Unit）、ＲＯＭ（Read Only Memory）およびＲＡＭ（Random Access Memory）などの半導体メモリ、ハードディスクなどのストレージ、および通信Ｉ／Ｆ（Interface）などを備えている。
【００２９】
サーバ装置１０は、具体的には、記憶部１１とサーバ制御部１２とを備える。記憶部１１は、ハードディスクなどの記憶容量が比較的大きい記憶媒体を有し、種々の情報を記憶する。サーバ制御部１２は、ＣＰＵなどを備え、サーバ装置１０全体を制御する。具体的には、サーバ制御部１２は、ユーザ端末装置２０および登録者端末装置３０と通信回線を介して通信するとともに、記憶部１１からの種々の情報の読出しおよび記憶部１１への種々の情報の記憶を制御する。
【００３０】
サーバ装置１０の記憶部１１には、図１に示すように、複数の登録者情報が記憶されている。登録者情報は、登録者の顔を撮影して取得された顔画像情報と、登録者のプロフィール情報と、登録者が有するＳＮＳのアカウントへの接続情報とを含み、これらの情報を対応付けた情報である。なお、本実施形態においては、上記顔画像情報が、本発明の登録識別情報に相当する。
【００３１】
顔画像情報としては、登録者の顔の撮影データそのものでもよいし、その撮影データから抽出した顔の特徴量でもよい。顔の特徴量とは、顔認識に用いられる特徴量であり、たとえば左右の目の距離や、左右の目と口との位置関係を示す量などがあるが、その他公知な特徴量を用いるようにしてもよい。
【００３２】
本実施形態においては、後述する登録者端末装置３０によって登録者の顔が撮影され、その撮影データが登録者端末装置３０からサーバ装置１０に出力され、サーバ装置１０は、入力された撮影データに基づいて顔画像情報を記憶する。顔画像情報として顔の特徴量を記憶する場合、その特徴量を抽出する処理は、登録者端末装置３０で行うようにしてもよいし、サーバ装置１０で行うようにしてもよい。本実施形態においては、顔画像情報として、顔の撮影データと顔の特徴量のデータとが記憶される。
【００３３】
登録者のプロフィール情報は、たとえば登録者の氏名、生年月日、経歴、趣味および居住地などがある。ただし、プロフィール情報は、これらの情報に限らず、登録者がその内容を任意に設定可能である。
【００３４】
本実施形態においては、後述する登録者端末装置３０が、登録者が有するＳＮＳのアカウントに接続し、そのＳＮＳのアカウントに登録された登録者の情報を取得し、その情報からプロフィール情報を抽出してサーバ装置１０に出力する。サーバ装置１０は、入力されたプロフィール情報を、顔画像情報および登録者が有するＳＮＳのアカウントへの接続情報に対応付けて記憶する。なお、ＳＮＳのアカウントに登録された登録者の情報のうちどの情報をプロフィール情報として抽出するかについては、登録者端末装置３０において予め設定される。
【００３５】
次に、登録者が有するＳＮＳのアカウントへの接続情報は、登録者が有するＳＮＳのアカウントへ接続するための情報であり、たとえばＵＲＬ（Uniform Resource Locator）の情報である。ＳＮＳとしては、たとえばＴｗｉｔｔｅｒ（登録商標）、Ｆａｃｅｂｏｏｋ（登録商標）、Ｉｎｓｔａｇｒａｍ（登録商標）、Ｇｏｏｌｅ＋（登録商標）、Ｌｉｎｅ（登録商標）、ＬｉｎｋｅｄＩｎ（登録商標）およびＶｉｎｅ（登録商標）などがあるが、これらの限らず、その他のＳＮＳでもよい。
【００３６】
本実施形態においては、登録者が、後述する登録者端末装置３０を用いて登録者情報として記憶するＳＮＳを選択し、そのＳＮＳの登録者のアカウントへの接続情報が登録者端末装置３０からサーバ装置１０に出力される。サーバ装置１０は、入力されたＳＮＳのアカウントへの接続情報を、上述した顔画像情報およびプロフィール情報に対応付けて記憶する。
【００３７】
登録者端末装置３０は、登録者が自身の情報をサーバ装置１０に記憶するために用いる端末装置である。
【００３８】
登録者端末装置３０は、カメラ機能を有するスマートフォンなどの携帯電話やタブレット端末などといった携帯端末であることが好ましいが、カメラ機能を有するデスクトップパソコンやノートパソコンなどでもよい。なお、カメラ機能の構成としては、必ずしもレンズを使用したカメラに限らず、撮影機能を有するものであれば如何なる構成でもよい。
【００３９】
登録者端末装置３０は、具体的には、ＣＰＵ、ＲＯＭおよびＲＡＭなどの半導体メモリ、および通信Ｉ／Ｆ（Interface）などを備えている。登録者端末装置３０の半導体メモリには、ＳＮＳ支援プログラムがインストールされており、このＳＮＳ支援プログラムがＣＰＵによって実行されることによって、図１に示す顔画像情報取得部３１、登録者情報特定部３２、登録者情報出力部３３、通信部３４および表示部３５が機能し、登録者の種々の情報が取得され、その取得された情報がサーバ装置１０に出力される。
【００４０】
ＳＮＳ支援プログラムは、ネットワークに接続されたサーバコンピュータまたはネットワークストレージに対して、外部からアクセス可能な状態で記憶される。そして、たとえば登録者端末装置３０およびユーザ端末装置２０からの要求に応じてダウンロードされ、これらの端末装置にインストールされる。また、ＳＮＳ支援プログラムは、ＤＶＤ（Digital Versatile Disc）およびＣＤ−ＲＯＭ（Compact Disc Read Only Memory）などの記録媒体に記録されて配布され、その記録媒体から登録者端末装置３０およびユーザ端末装置２０にインストールするようにしてもよい。
【００４１】
顔画像情報取得部３１は、ＣＭＯＳ（Complementary metal-oxide-semiconductor）イメージセンサまたはＣＣＤ（Charged-coupled devices）イメージセンサなどの撮像素子を有し、この撮像素子によって登録者の顔を撮影して撮影データを取得する。顔画像情報取得部３１は、その撮影データそのままを顔画像情報として取得してもよいし、撮影データとその撮影データから抽出した顔の特徴量とを顔画像情報として取得してもよい。顔の特徴量については、上述したとおりである。
【００４２】
登録者情報出力部３３は、登録者のプロフィール情報と、登録者のＳＮＳのアカウントへの接続情報とを取得し、登録者の顔画像情報と、上記プロフィール情報と、上記ＳＮＳのアカウントへの接続情報とを紐付して出力する。
【００４３】
通信部３４は、通信Ｉ／Ｆを有し、サーバ装置１０との通信を行う。また、本実施形態の通信部３４は、登録者情報出力部３３から出力された登録者の顔画像情報と、プロフィール情報と、ＳＮＳのアカウントへの接続情報とをサーバ装置１０に出力する。
【００４４】
表示部３５は、たとえば液晶ディスプレイを有するタッチパネルを備え、種々の情報を表示するとともに、種々の情報の入力および選択を受け付ける。
【００４５】
なお、登録者情報特定部３２は、後述するユーザ端末装置２０の登録者情報特定部２２と同様の機能であり、ここでは説明を省略する。
【００４６】
以下、登録者端末装置３０を用いて登録者情報をサーバ装置１０に登録する方法について、図２に示すフローチャートを参照しながら説明する。
【００４７】
まず、登録者が、登録者端末装置３０にインストールされたＳＮＳ支援プログラムを起動させ、予め設定したログインＩＤおよびパスワードを入力して、登録者のアカウントにログインする（Ｓ１０）。そして、登録者は、顔画像情報取得部３１のカメラ機能を動作させて、自分の顔を撮影し、その撮影データが登録者端末装置３０に記憶される（Ｓ１２）。
【００４８】
次いで、ＳＮＳ支援プログラムは、登録者端末装置３０の表示部３５に、複数のＳＮＳのアイコンを表示させる。登録者は、自らのプロフィール情報を取得するため、表示された複数のＳＮＳの中から、アカウントを有するいずれか１つのＳＮＳを選択する。登録者端末装置３０は、いわゆるソーシャルログインを行うことによって、その選択されたＳＮＳのアカウントに接続し、登録者情報出力部３３は、そのＳＮＳのアカウントに登録された登録者の情報からプロフィール情報を取得して記憶する（Ｓ１４）。このように、ソーシャルログインによってプロフィール情報を取得することによって、登録者がプロフィール情報を設定入力する手間を省くことができる。
【００４９】
続いて、ＳＮＳ支援プログラムは、登録者端末装置３０の表示部３５に、再び複数のＳＮＳのアイコンを表示させる。登録者は、その複数のＳＮＳの中から、アカウントを有し、かつ友達申請などの受信を希望するＳＮＳを選択する（Ｓ１６）。登録者情報出力部３３は、登録者によって選択されたＳＮＳの登録者のアカウントへの接続情報を取得し、記憶する（Ｓ１８）。なお、登録者のアカウントへの接続情報は、たとえばソーシャルログインによって取得される。
【００５０】
そして、登録者情報出力部３３は、Ｓ１２において保存された撮影データに基づく顔画像情報と、Ｓ１４において保存されたプロフィール情報と、Ｓ１８において保存されたＳＮＳの登録者のアカウントへの接続情報とを紐付して、通信部３４を介してサーバ装置１０に出力する（Ｓ２０）。サーバ装置１０は、入力された顔画像情報と、プロフィール情報と、ＳＮＳへの接続情報とを対応付けて登録者情報として記憶する（Ｓ２２）。
【００５１】
以上が、登録者端末装置３０を用いた登録者情報のサーバ装置１０への登録方法の説明である。
【００５２】
次に、ユーザ端末装置２０について説明する。ユーザ端末装置２０は、ユーザが、任意の人物（検索対象者）のＳＮＳのアカウントに接続し、たとえば友達申請などを行う際に用いる端末装置である。
【００５３】
ユーザ端末装置２０は、カメラ機能を有するスマートフォンなどの携帯電話やタブレット端末などといった携帯端末であることが好ましいが、カメラ機能を有するノートパソコンでもよい。なお、カメラ機能の構成としては、必ずしもレンズを使用したカメラに限らず、撮影機能を有するものであれば如何なる構成でもよい。
【００５４】
また、ユーザ端末装置２０は、カメラ機能を有するウェアラブル端末で構成するようにしてもよく、特に、メガネ型で拡張現実（ＡＲ）機能を備えたスマートグラス、拡張現実（ＡＲ）機能を備えたコンタクトレンズから構成することが好ましい。これにより、スマートグラスで観察している人物のＳＮＳのアカウントに即座に接続することができる。また、上述した登録者端末装置３０を、ユーザ端末装置２０と同様に、ウェアラブル端末で構成するようにしてもよい。
【００５５】
ユーザ端末装置２０は、ＣＰＵ、ＲＯＭおよびＲＡＭなどの半導体メモリ、および通信Ｉ／Ｆ（Interface）などを備えている。ユーザ端末装置２０の半導体メモリには、ＳＮＳ支援プログラムがインストールされており、このＳＮＳ支援プログラムがＣＰＵによって実行されることによって、図１に示す顔画像情報取得部２１、登録者情報特定部２２、登録者情報出力部２３、通信部２４および表示部２５が機能する。なお、ユーザ端末装置２０にインストールされるＳＮＳ支援プログラムは、登録者端末装置３０にインストールされるＳＮＳ支援プログラムと同じプログラムである。したがって、ユーザ端末装置２０は、登録者端末装置３０と同じ機能を実行することができ、逆に、登録者端末装置３０は、後述するユーザ端末装置２０と同じ機能を実行することができる。
【００５６】
顔画像情報取得部２１は、ＣＭＯＳイメージセンサまたはＣＣＤイメージセンサなどの撮像素子を有し、この撮像素子によって検索対象者の顔を撮影して撮影データを取得する。顔画像情報取得部２１は、その撮影データそのままを顔画像情報として取得してもよいし、その撮影データから抽出した顔の特徴量を顔画像情報として取得してもよい。顔の特徴量については、上述したとおりである。なお、本実施形態においては、上記顔画像情報が、本発明の撮影識別情報に相当する。
【００５７】
登録者情報特定部２２は、検索対象者の顔画像情報に基づいて、サーバ装置１０に予め記憶された登録者情報の顔画像情報を参照し、検索対象者の顔画像情報と一致する顔画像情報を含む登録者情報を特定することによって、検索対象者の登録者情報を特定する。
【００５８】
通信部２４は、通信Ｉ／Ｆを有し、サーバ装置１０との通信を行う。また、本実施形態の通信部２４は、登録者情報特定部２２によって特定された登録者情報に含まれるＳＮＳの接続情報に基づいて、検索対象者のＳＮＳのアカウントに接続する。
【００５９】
表示部２５は、たとえば液晶ディスプレイを有するタッチパネルを備え、種々の情報を表示するとともに、種々の情報の入力および選択を受け付ける。
【００６０】
なお、登録者情報出力部２３については、上述した登録者端末装置３０の登録者情報出力部３３と同様の機能である。
【００６１】
以下、ユーザ端末装置２０を用いて任意の人物（検索対象者）のＳＮＳのアカウントへ友達申請する方法について、図３に示すフローチャートを参照しながら説明する。なお、任意の人物（検索対象者）については、その登録者情報がサーバ装置１０に事前に登録されている人物であるとする。
【００６２】
まず、ユーザが、ユーザ端末装置２０にインストールされたＳＮＳ支援プログラムを起動させ、予め設定したログインＩＤおよびパスワードを入力して、ユーザのアカウントにログインする（Ｓ３０）。そして、ユーザは、顔画像情報取得部２１のカメラ機能を動作させて、検索対象者の顔を撮影し、その撮影データがユーザ端末装置２０に記憶される（Ｓ３２）。なお、検索対象者の顔の撮影については、ユーザと検索対象者とが同じ場所にいる状況で、検索対象者の顔を直接撮影してもよいし、テレビなどの映像または写真などの静止画に映った検索対象者の顔を撮影するようにしてもよい。
【００６３】
次いで、ＳＮＳ支援プログラムは、通信部２４を機能させてサーバ装置１０と通信し、ユーザ端末装置２０をサーバ装置１０に接続する（Ｓ３４）。そして、ユーザ端末装置２０の登録者情報特定部２２は、検索対象者の顔画像情報に基づいて、サーバ装置１０に予め記憶された登録者情報の顔画像情報を参照する（Ｓ３６）。そして、登録者情報特定部２２は、検索対象者の顔画像情報と一致する顔画像情報を含む登録者情報を特定することによって、検索対象者の登録者情報を特定する（Ｓ３８）。
【００６４】
そして、ユーザ端末装置２０は、Ｓ３８において特定した登録者情報を取得し、その登録者情報に含まれる顔画像情報、プロフィール情報およびＳＮＳへの接続情報を取得し、これらの情報をユーザ端末装置２０の表示部２５に表示させる（Ｓ４０）。図４は、その画面の表示例を示す図である。図４に示すように、ユーザ端末装置２０の表示部２５には、検索対象者の顔画像およびプロフィール情報が表示されるとともに、ＳＮＳのアイコンＩＣ１〜ＩＣ４が表示される。ＳＮＳのアイコンＩＣ１〜ＩＣ４については、登録者情報に含まれるＳＮＳへの接続情報に関連するＳＮＳ（図２のＳ１６で選択されたＳＮＳ）のアイコンが表示される。このように、検索対象者の顔画像およびプロフィール情報を表示部２５に表示させることによって、ユーザは、検索対象者のことをより詳しく知ることができ、友達申請するか否かの判断材料とすることができる。
【００６５】
また、複数のＳＮＳのアイコンを表示部２５に表示させることによって、ユーザが友達申請したいＳＮＳを選択することができる。
【００６６】
なお、本実施形態では、ユーザ端末装置２０の表示部２５にＳＮＳのアイコンを４つ表示させるようにしたが、アイコンの数はこれに限らず、５つ以上表示させるようにしてもよいし、４つよりも少ない数でもよい。
【００６７】
そして、ユーザは、ユーザ端末装置２０に表示されたプロフィール情報などを確認し、顔を撮影した検索対象者のＳＮＳに友達申請を送信したいと思った場合には、図４に示す複数のＳＮＳのアイコンのうち、友達申請を送信するＳＮＳのアイコンを選択する（Ｓ４２）。
【００６８】
ユーザによってＳＮＳのアイコンが選択された場合には、そのＳＮＳへの接続情報、すなわち検索対象者のＳＮＳのアカウントへの接続情報が通信部２４によって取得され、通信部２４は、その接続情報に基づいて、検索対象者のＳＮＳのアカウントに接続する（Ｓ４４）。
【００６９】
続いて、通信部２４は、その接続先のＳＮＳのアカウントに対して友達申請を送信する（Ｓ４６）。
【００７０】
以上が、ユーザ端末装置２０を用いて任意の人物（検索対象者）のＳＮＳのアカウントへ友達申請する方法の説明である。
【００７１】
本実施形態のＳＮＳ支援システム１によれば、検索対象者の顔を撮影して顔画像情報を取得し、その検索対象者の顔画像情報に基づいて、予め記憶された登録者情報の顔画像情報を参照し、検索対象者の顔画像情報と一致する顔画像情報を含む登録者情報を特定することによって、検索対象者の登録者情報を特定する。そして、その特定した登録者情報に含まれる上記接続情報に基づいて、検索対象者のソーシャルネットワークサービスのアカウントに接続する。これにより、検索対象者の顔を認識しつつ、かつ簡易な作業にて友達申請を行うことができる。
【００７２】
なお、上記実施形態のＳＮＳ支援システム１においては、ユーザ端末装置２０の表示部２５が、検索対象者の顔画像およびプロフィール情報を表示するようにしたが、これに限らず、たとえばプロフィールに検索対象者（登録者）の生年月日の情報が含まれる場合には、その生年月日に関連する情報を表示するようにしてもよい。生年月日に関連する情報とは、たとえば生年月日に対応する干支および星座の情報や、生年月日に対応する占いの情報などがある。これらの情報は、ユーザ端末装置２０に予め記憶しておいてもよいし、たとえばユーザ端末装置２０の通信部２４が、インターネット回線を介して、占いサイトに接続し、プロフィール情報に含まれる生年月日の情報に基づいて、そのサイトから生年月日に応じた占い情報をダウンロードするようにしてもよい。また、通信部２４が、検索対象者の干支または星座の情報に基づいて、占いサイトからその情報に応じた占い情報をダウンロードするようにしてもよい。
【００７３】
このように、検索対象者の生年月日に関連する情報を表示部２５に表示させることによって、ユーザは、検索対象者のことをより詳しく知ることができ、友達申請するか否かの判断材料とすることができる。たとえば検索対象者の干支および星座の情報や、占い情報を表示部２５に表示させることによって、ユーザと検索対象者との相性などを判断することができる。
【００７４】
また、ユーザ端末装置２０は、検索対象者のプロフィール情報に関連するその他の情報を、通信部２４によってインターネット回線を介して外部のサイトからダウンロードして表示部２５に表示させることができる。
【００７５】
また、ユーザ端末装置２０は、図４に示す検索対象者の顔画像の代わりまたは検索対象者の顔画像に加えて動画を表示するようにしてもよい。動画としては、検索対象者のプロフィール動画のような検索対象者に関連する動画でもよいし、検索対象者が他の人に紹介したい動画でもよい。ユーザ端末装置２０に表示される動画は、たとえばサーバ装置１０に登録者情報の１つとして記憶するようにすればよい。
【００７６】
また、上記実施形態のＳＮＳ支援システム１においては、ユーザ端末装置２０および登録者端末装置３０にＳＮＳ支援プログラムをインストールし、そのＳＮＳ支援プログラムを実行することによってユーザ端末装置２０および登録者端末装置３０を機能させるようにしたが、必ずしもユーザ端末装置２０および登録者端末装置３０にＳＮＳ支援プログラムをインストールしなくてもよい。
【００７７】
たとえばユーザ端末装置２０および登録者端末装置３０において、所定のブラウザ（インターネットエクスプローラ（登録商標）、グーグルクロム（登録商標）およびサファリ（登録商標）など）を起動し、そのブラウザで所定のサイトにアクセスし、そのサイト上のプログラムを動作させることによって、上述した顔画像情報取得部２１,３１、登録者情報特定部２２,３２、登録者情報出力部２３,３３、通信部２４,３４および表示部２５,３５を機能させるようにしてもよい。
【００７８】
また、上記実施形態のＳＮＳ支援システム１においては、ユーザ端末装置２０の登録者情報特定部２２が、顔画像情報取得部２１によって取得された検索対象者の顔画像情報に基づいて、検索対象者の登録者情報を特定するようにしたが、この顔画像情報に基づく登録者情報の特定処理については、必ずしもユーザ端末装置２０において行わなくてもよく、たとえばサーバ装置１０において行うようにしてもよい。すなわち、本発明の登録者情報特定部と通信部をサーバ装置１０に設けるようにしてもよい。
【００７９】
具体的には、たとえばユーザ端末装置２０によって撮影した検索対象者の顔画像情報をサーバ装置１０に出力し、サーバ装置１０は、入力された検索対象者の顔画像情報と一致する顔画像情報を含む登録者情報を特定する。
【００８０】
そして、サーバ装置１０は、特定した登録者情報に含まれる顔画像情報、プロフィール情報およびＳＮＳへの接続情報を取得し、これらの情報をユーザ端末装置２０の表示部２５に表示させる。すなわち、サーバ装置１０は、図４に示した画面をユーザ端末装置２０に表示させる。
【００８１】
次いで、ユーザは、上述したように、ユーザ端末装置２０に表示されたプロフィール情報などを確認し、複数のＳＮＳのアイコンのうち、友達申請を送信するＳＮＳのアイコンを選択する。
【００８２】
ユーザによってＳＮＳのアイコンが選択された場合には、その選択情報がサーバ装置１０に出力され、サーバ装置１０は、そのユーザによって選択されたＳＮＳへの接続情報に基づいて、検索対象者のＳＮＳのアカウントに接続する。そして、サーバ装置１０は、検索対象者のＳＮＳのアカウントのページをユーザ端末装置２０に出力し、ユーザ端末装置２０は、そのページを表示する。続いて、ユーザは、ユーザ端末装置２０上において検索対象者のＳＮＳのアカウントに対して友達申請を送信する。
【００８３】
上述したように、サーバ装置１０において、検索対象者の登録者情報の特定および検索対象者のＳＮＳのアカウントへの接続を行うことによって、ユーザ端末装置２０の構成を簡易な構成とすることができ、特に、ユーザ端末装置２０をウェアラブル端末で構成する場合に、上述したような構成とすることが好ましい。たとえばユーザ端末装置２０を、拡張現実（ＡＲ）機能を備えたコンタクトレンズした場合には、検索対象者の登録者情報の特定処理を行う演算部を設ける必要がないので、回路規模を小さくすることができる。
【００８４】
また、上述した検索対象者の登録者情報の特定および検索対象者のＳＮＳのアカウントへの接続を行うサーバ装置１０としては、クラウドコンピューティングのサーバ装置であることが好ましく、またはエッジコンピューティングのコンピュータを用いるようにしてもよい。
【００８５】
また、上記実施形態のＳＮＳ支援システム１においては、ユーザ端末装置２０が、
検索対象者の登録者情報に含まれるＳＮＳのアカウントのアイコンＩＣ１〜ＩＣ４を表示させるようにしたが、これに加えて、検索対象者が他の人にお勧めするアプリケーションを示すアイコンを表示させるようにしてもよい。これにより、ユーザは、検索対象者がどのようなアプリケーションから情報を得ているか、どのようなアプリケーションを使って作業を行っているかなどを知ることができる。また、ユーザが、アプリケーションのアイコンを選択した場合に、そのアプリケーションをユーザ端末装置２０にダウンロードするようにしてもよい。
【００８６】
また、上記実施形態のＳＮＳ支援システム１においては、本発明の登録識別情報として登録者の顔画像情報を用い、本発明の撮影識別情報として検索対象者の顔画像情報を用いるようにしたが、登録識別情報および撮影識別情報としては、顔を撮影した顔画像情報に限らず、登録者を特定するための情報であれば如何なる情報でもよい。たとえば登録者は、人だけでなく会社や団体などでもよく、この場合、登録識別情報および撮影識別情報として会社や団体のロゴを用いるようにしてもよい。また、登録者を特定するためのユニークなキャラクターの絵などを用いるようにしてもよい。
【符号の説明】
【００８７】
１     ＳＮＳ支援システム
１０   サーバ装置
１１   記憶部
１２   サーバ制御部
２０   ユーザ端末装置
２１   顔画像情報取得部
２２   登録者情報特定部
２３   登録者情報出力部
２４   通信部
２５   表示部
３０   登録者端末装置
３１   顔画像情報取得部
３２   登録者情報特定部
３３   登録者情報出力部
３４   通信部
３５   表示部
ＩＣ１〜ＩＣ４ アイコン
【図１】
2020201808.tif 000003
【図２】
2020201808.tif 000004
【図３】
2020201808.tif 000005
【図４】
2020201808.tif 000006